(57)【要約】【課題】    小さめな風船を使用してラッピング加工ができるようにしたもので、個人的又は家庭的な風船のラッピング装置を提供すること。【解決手段】      ラッピング装置がラッピングケース１０と蓋体２０とからなる。ラッピングケース１０は、有底容器であって空気調整弁１２が設けられている。蓋体２０は、ラッピングケース１０に対して着脱自在に結合されるものであって、当該蓋体２０を貫通してガイド筒体３０が設けられている。ガイド筒体３０には、蓋体２０をラッピングケースに装着した時ケース内に収容される位置に風船装着筒３２が設けられると共に、当該ケースから突出する位置に逆止弁付きの空気注入弁３４が設けられている。ガイド筒体３０の頂部にメインキャップ４０が着脱自在に結合されている。【選択図】    図１
2008254761.tif 000002
【特許請求の範囲】
【請求項１】
ラッピング装置が、ラッピングケース（１０）と蓋体（２０）とからなり、上記ラッピングケースは、有底容器であって空気調整弁（１２）が設けられたものであり、上記蓋体は、上記ラッピングケースに対して着脱自在に結合されるものであって、当該蓋体を貫通してガイド筒体（３０）が設けられており、該ガイド筒体には、上記蓋体をラッピングケースに装着した時ケース内に収容される位置に風船装着筒（３２）が設けられると共に当該ケースから突出する位置に逆止弁付きの空気注入弁（３４）が設けられており、上記ガイド筒体の先端頂部にメインキャップ（４０）を着脱自在に結合したものであることを特徴とする風船のラッピング装置。
【請求項２】
ラッピングケース（１１０）の底部中心部に空気調整穴（１１２）を設け、側壁に底部から上方開口部の近傍に達する長さの空気管（１１４）を設けたことを特徴とする請求項１に記載の風船のラッピング装置。
【請求項３】
蓋体（１２０）を貫通して設けた第２のガイド筒体（１３０）に装着する第２の風船装着筒（１３２）が、上記第２のガイド筒体に連結する筒体連結部（１３２ａ）とゴム風船を装着する風船装着部（１３２ｂ）を有し、上記風船装着部は外径を異にする複数種類が設けられており、上記第２の風船装着筒が上記第２のガイド筒体に対して着脱自在に設けられていることを特徴とする請求項１又は２に記載の風船のラッピング装置。
【請求項４】
第２のガイド筒体（１３０）が、ラッピングケース（１１０）の内部に向う外周面に雄ネジ（１３５）が形成され、第２の風船装着筒（１３２）の筒体連結部（１３２ａ）の内周面に雌ネジ（１３６）が形成されていて、両者がねじ結合されていることを特徴とする請求項１から３のいずれかに記載の風船のラッピング装置。
【請求項５】
ラッピングケース（１０，１１０）と蓋体（２０，１２０）及びガイド筒体（３０，１３０）とメインキャップ（４０）の結合が、いずれも着脱自在なねじ結合であることを特徴とする請求項１から４のいずれかに記載の風船のラッピング装置。
【発明の詳細な説明】
【技術分野】
【０００１】
本発明は、ゴム風船内にギフト品又は装飾品などを収容する風船によるラッピング装置に関している。
【背景技術】
【０００２】
ゴム風船内にギフト品又は装飾品を収容するラッピング風船は知られており、風船によるラッピング装置が特許文献１に開示されている。
【特許文献１】アメリカ特許第４９７４３９３号公報
【０００３】
特許文献１に記載のラッピング装置は、公報図２を参照して、ラッピング装置が、透明資材によるラッピング箱１０と負圧発生装置１８が一体型に設けられたものであり、箱の開口部分に開閉自在な上蓋板２０を設けたものである。また、上蓋板２０には箱内に通じる筒体４８が設けられ、さらに、該筒体４８の上端にキャップ５０が開閉自在に設けられているものである。
【０００４】
上記ラッピング装置を使用して行うラッピング作業は、キャップ５０を開けて筒体４８の下端にゴム風船４０を装着し、負圧発生装置１８を運転してラッピング箱１０内を負圧状態にする。これにより、ゴム風船４０とラッピング箱１０の間が負圧になり当該ゴム風船４０が膨らむので、風船がラッピング箱１０の壁面に張り付くまで膨らんだら負圧の供給を停止する。この時、ゴム風船４０の開口は筒体４８を介して大気に通じているから、筒体４８から風船内にギフト品又は装飾品を詰め込み、筒体４８の開口部をキャップ５０により閉塞する。ここで、上蓋板２０及びキャップ５０は、共にパッキン装置を有しているから、ラッピング箱１０内を負圧に形成した時、また、筒体４８にキャップ５０を装着して上蓋板２０を開けた時のいずれの場合も、ゴム風船４０は膨らんだ状態を維持している。
【０００５】
ギフト品又は装飾品がゴム風船４０内に詰め込まれたら上蓋板２０を開け、キャップ５０を閉塞したまま当該ゴム風船４０の口部を捻って空気が抜けないように筒体４８から外し、さらに口部を確り結束して空気漏れがないようにする。なお、風船口部は、好みにより装飾リボン等による飾りつけをすると美麗なラッピング風船が形成される。
【０００６】
特許文献１に記載のラッピング装置は、負圧発生装置を備えていることもあって装置が大型になるので、ラッピングする風船も大きなものとなり、業務用としての機能は備えているが、個人的又は家庭的で小さめの風船には些か不向きなものであった。
【発明の開示】
【発明が解決しようとする課題】
【０００７】
本発明の課題は、小さめなゴム風船を使用してラッピング加工をするラッピング装置であって、個人的又は家庭的な風船のラッピング装置を提供することである。
【課題を解決するための手段】
【０００８】
解決手段の第１は、ラッピング装置が、ラッピングケースと蓋体とからなり、上記ラッピングケースは、有底容器であって空気調整弁が設けられたものであり、上記蓋体は、上記ラッピングケースに対して着脱自在に結合されるものであって、当該蓋体を貫通してガイド筒体が設けられており、該ガイド筒体には、上記蓋体をラッピングケースに装着した時ケース内に収容される位置に風船装着筒が設けられると共に当該ケースから突出する位置に逆止弁付きの空気注入弁が設けられており、上記ガイド筒体の先端頂部にメインキャップを着脱自在に結合したものであることを特徴とするものである。
【０００９】
解決手段の第２は、解決手段の第１において、ラッピングケースの底部中心部に空気調整穴を設け、側壁に底部から上方開口部の近傍に達する長さの空気管を設けたことを特徴とするものである。
【００１０】
解決手段の第３は、解決手段の第１又は２において、蓋体を貫通して設けた第２のガイド筒体に装着する第２の風船装着筒が、上記第２のガイド筒体に連結する筒体連結部とゴム風船を装着する風船装着部を有し、上記風船装着部は外径を異にする複数種類が設けられており、上記第２の風船装着筒が上記第２のガイド筒体に対して着脱自在に設けられていることを特徴とするものである。
【００１１】
解決手段の第４は、解決手段の第１から３のいずれかにおいて、第２のガイド筒体がラッピングケースの内部に向う外周面に雄ネジが形成され、第２の風船装着筒の筒体連結部の内周面に雌ネジが形成されていて、両者がねじ結合されていることを特徴とするものである。
【００１２】
解決手段の第５は、解決手段の第１から４のいずれかにおいて、ラッピングケースと蓋体及びガイド筒体とメインキャップの結合が、いずれも着脱自在なねじ結合であることを特徴とするものである。
【発明の効果】
【００１３】
請求項１は、ラッピング加工をするゴム風船を膨らませるために、手動運転が可能な空気供給ポンプが利用できるので、手軽にラッピング加工ができ、負圧発生装置を使用していた従来技術に比べ、大掛かりな装置が不要となるものであって、個人的又は家庭的なラッピング装置が得られる効果がある。また、ラッピングケースを適宜な大きさに形成することにより、小さめな風船によるラッピング加工が可能であることの効果もある。
【００１４】
請求項２は、ラッピングケースの底部に空気調整穴を設け、ケース側壁に底部から上方開口部の近傍に達する空気管を設けたものであるから、ラッピング加工を行う工程において、空気調整穴を開けたり塞いだりする必要がなく、作業が迅速に行える効果がある。
【００１５】
請求項３は、ガイド筒体に装着する風船装着筒が、ガイド筒体に対して着脱自在に設けたものであるから、風船装着筒の風船装着部が外径を異にする複数種が使用でき、多種類のゴム風船に対応することが可能となるものである。
【００１６】
請求項４は、ガイド筒体と風船装着筒の結合がねじ結合によるものであるから、風船装着部の外径が異なる風船装着筒の着脱が容易であり、迅速な作業が行えるものである。
【００１７】
請求項５は、ラッピングケースと蓋体及びガイド筒体とメインキャップの結合が、いずれも着脱自在なねじ結合であるから、部材の着脱を始め、取扱いが容易なラッピング装置が得られるものである。
【発明を実施するための最良の形態】
【００１８】
第１実施例
図１から図５が第１実施例であり、図１はラッピング装置の各部品を示す斜視図、図２は装置を組立てた全体の断面図、図３から図５はラッピング加工の作業手順を示す工程図である。
【００１９】
これらの図において、ラッピング装置は、ラッピングケース１０、蓋体２０、該蓋体２０に設けたガイド筒体３０、該ガイド筒体３０に被せるメインキャップ４０とからなっている。図中、５０は本装置を使用してラッピング加工をするゴム風船、５１はゴム風船５０内に収容したギフト品又は装飾品を示している。
【００２０】
上記ラッピングケース１０は、アクリル樹脂などの透明資材により形成されている。上記蓋体２０には、ラッピングケース１０との間に第１のパッキン２１が設けられており、また、上記メインキャップ４０には、ガイド筒体３０との間に第２のパッキン４１が設けられている。
【００２１】
上記ラッピングケース１０は、有底容器であって平面視円形の筒型構造であり、上方開口部の外周縁に雄ネジ１１が形成され、底部近傍に空気調整弁１２が設けられている。なお、空気調整弁１２はケース内と大気を連通する管であり、開口部にキャップ１３が着脱自在に設けられている。
【００２２】
上記蓋体２０は、外周縁２２の内側に雌ネジ２３が形成されており、該雌ネジ２３を上記ラッピングケース１０の雄ネジ１１にねじ結合して当該蓋体２０をラッピングケース１０に固定する。２４は外周縁２２の外側に形成したローレットである。また、上記蓋体２０の中心部に該蓋体２０を貫通してガイド筒体３０が設けられており、該ガイド筒体３０の上端開口縁に雄ネジ３１が形成されると共に、下端底部に当該底部の直径よりも小径に形成した風船装着筒３２が一体構造により設けられている。３３は上記風船装着筒３２の下端外周面に形成した風船装着フランジ３３である。なお、ガイド筒体３０は、上記蓋体２０と一体構造でもよく又は後付け構造でもよい。
【００２３】
また、上記ガイド筒体３０には、蓋体２０をラッピングケース１０に被せた時に、当該ケースから突出する位置に逆止弁付きの空気注入弁３４が設けられている。後述するように、空気注入弁３４は、上記風船装着筒３２に装着したゴム風船に空気を供給するためものであるから、上記メインキャップ４０に設けることができる。
【００２４】
上述したように、上記メインキャップ４０には、ガイド筒体３０との間に第２のパッキン４１が設けられている。また、上記メインキャップ４０の外周縁４２の内側に雌ネジ４３を形成すると共に、当該外周縁４２の外側にローレット４４を形成している。図中、６０は手動運転が可能な空気供給ポンプ、６１は該空気供給ポンプ６０に接続した空気注入ホースである。
【００２５】
次に、図３から図５を参照して、ゴム風船のラッピング加工の作業手順を説明する。第１工程は、ラッピングケース１０から蓋体２０を外し、風船装着筒３２の風船装着フランジ３３にゴム風船５０を装着する工程である。この時、ガイド筒体３０にはメインキャップ４０を取付けておく（図３ａ）。次の第２工程は、ゴム風船５０を風船装着筒３２に装着したまま蓋体２０をラッピングケース１０に取付ける工程であり、ここでは、空気調整弁１２のキャップ１３は外しておく（図３ｂ）。
【００２６】
第３工程は、ガイド筒体３０の空気注入弁３４に空気供給ポンプ６０の空気注入ホース６１を装着し、上記空気供給ポンプ６０からガイド筒体３０内に空気を注入する工程である。この時、ゴム風船５０は、ラッピングケース１０内において、当該ラッピングケース１０の内壁に接触するまで膨らませる（図４ｃ）。
【００２７】
ゴム風船５０がラッピングケース１０内で膨らんだことが確認できたら、空気調整弁１２にキャップ１３を被せてケース内と大気を遮断し空気供給ポンプ６０を外す。空気調整弁１２にキャップ１３が被せられていると、ラッピングケース１０内は負圧状態になっているので、この時、メインキャップ４０を外してもゴム風船５０は萎まず膨らんだままの状態を維持している。次の第４工程は、メインキャップ４０を開けてガイド筒体３０からゴム風船５０の中にギフト品又は装飾品５１を詰め込む工程である（図４ｄ）。
【００２８】
第５工程は、ゴム風船５０内にギフト品又は装飾品５１を詰め込み、再び、メインキャップ４０をガイド筒体３０に被せる工程である（図５ｅ）。次の第６工程は、ゴム風船の口部を結束する工程である。ここでは、空気調整弁１２のキャップ１３を外してラッピングケース１０内を大気圧にすると共に蓋体２０を外す。蓋体２０とラッピングケース１０のねじ結合を外すために当該蓋体２０を回転すると、ゴム風船５０の口部が捩じられて風船口部に結び目５０ａが形成される。なお、ゴム風船５０の口部に形成された結び目５０ａには、結束クリップ５２を装着して風船の口元を結束する（図５ｆ）。
【００２９】
蓋体２０を外した時に風船口部に結び目５０ａが形成できない場合は、ゴム風船５０の膨らみが足りないからであるから、この場合は、図４ｃに示す第３工程に戻って風船内に空気を追加注入するとよい。また、ラッピングケース１０から取り出されたゴム風船５０は、ガイド筒体３０の風船装着筒３２に装着されているが、風船口部が結束クリップ５２によって結束されているから、この状態で風船装着筒３２から外すことができる。なお、風船口部を結束する結束クリップ５２は結束手段の一例であり、他の手段によって口部が結束できることは勿論である。
【００３０】
ゴム風船を使用したラッピング風船は、図５ｆに示す工程が終了した時点で完成しているが、さらに、風船口部の結び目５０ａに結束クリップ５２が装着されているので、ギフト品としての体裁を整えるために、図９に示すように、当該結び目５０ａに装飾リボン５３を施せば、さらに美麗なラッピング風船が得られることになる。
【００３１】
第１実施例において、ラッピングケース１０は、直径が１００〜１５０ｍｍ、深さが１５０〜２５０ｍｍの範囲がよいが、好ましくは、直径１３０ｍｍ、深さ２００ｍｍ程度がよい。
【００３２】
第２実施例
図６から図８が第２実施例であり、図６はラッピング装置の各部品を示す斜視図、図７は装置を組立てた全体の断面図、図８は蓋体と風船装着筒を示す断面図である。
【００３３】
第２実施例の説明において、第１実施例と同じ部材に相当する部材には、第１実施例の説明のために付した符号に「１００」を付しており詳細な説明を省略している。第２実施例において第１実施例と異なる部分は、ラッピングケース１１０の底部に空気調整穴１１２を設けていることと、蓋体１２０に設けた第２の風船装着筒１３２が第２のガイド筒体１３０に対して着脱自在であって、外径が異なる２種類の風船装着筒１３２Ａ，１３２Ｂを有していることである。
【００３４】
ラッピングケース１１０の底部に空気調整穴１１２を設けおり、該空気調整穴１１２は底部に開口する通孔であって、穴を塞ぐためのキャップ等を有していない。なお、ラッピングケース１１０の側壁には、底部から上方開口部の近傍に達する長さの空気管１１４を設けている。
【００３５】
また、蓋体１２０に設けた第２のガイド筒体１３０には、ラッピングケース１１０内部に向う外筒面に雄ネジ１３５が形成されており、一方、第２の風船装着筒１３２は、第２のガイド筒体１３０に連結する筒体連結部１３２ａとゴム風船を装着する風船装着部１３２ｂを有しており、筒体連結部１３２ａの内周面に雌ネジ１３６が形成されており、図８に示すように、風船装着部１３２ｂは外径が異なる複数種類、実施形態では２種類が設けられている。図中、１３３は第２の風船装着筒１３２の風船装着部１３２ｂの外周面に形成した風船装着用の係合突起である。
【００３６】
第２実施例では、第２の風船装着筒１３２の風船装着部１３２ｂが外径を異にする２種類の部材を設けているので、市販されているゴム風船の口部サイズに合せて選択的に使用することが可能なものである。
【００３７】
この他、第２実施例においては、ラッピングケース１１０内に空気を供給するための空気注入弁１３４が、メインキャップ１４０の頂部に設けられている。
【００３８】
ラッピング装置の組立て方法は第１実施例の場合と同じであり、また、ゴム風船５０を第２の風船装着筒１３２に係合する手順並びにラッピング加工の作業手順も第１実施例の場合と同じである。
【００３９】
第２の風船装着筒１３２に係合したゴム風船５０は、空気注入弁１３４から注入された空気によって膨らみ、風船底部が空気調整穴１１２を塞ぐまでは当該空気調整穴１１２からラッピングケース１１０内の空気を排出している。ここで、膨らんだゴム風船５０が空気調整穴１１２を塞ぐと、ゴム風船５０によって遮断されているケース底部とケース上部が空気管１１４によって通じ、低圧になったケース底部にケース上部から相対的に高圧な空気が供給され、いったん膨らんだゴム風船５０をさらに膨らませることができる。
【００４０】
上記したように、ラッピングケース１１０内で膨らんだゴム風船５０に、ギフト品又は装飾品を詰め込み、風船口部を結束する手順も第１実施例の場合と同じである。
【００４１】
第２実施例における各部材の寸法は、第１実施例の場合と同じ程度のものであるが、風船装着筒１３２の風船装着部１３２ｂは、図８ａの場合で外径４７ｍｍ（因みに内径は４３ｍｍ）、図８ｂの場合で２９ｍｍ（因みに内径は２５ｍｍ）である。
【００４２】
本発明は、ラッピングケースを小型に形成することにより、小さめのゴム風船を使用してラッピングができるようにしたものであり、個人的又は家庭的なラッピング装置として最適である。
【図面の簡単な説明】
【００４３】
【図１】第１実施例におけるラッピング装置の各部品を示す斜視図。
【図２】第１実施例におけるラッピング装置を組立てた全体の断面図。
【図３】ａ，ｂは第１実施例におけるラッピング加工の作業手順を示す第１及び第２の工程図。
【図４】ｃ，ｄは第１実施例におけるラッピング加工の作業手順を示す第３及び第４の工程図。
【図５】ｅ，ｆは第１実施例におけるラッピング加工の作業手順を示す第５及び第６の工程図。
【図６】第２実施例におけるラッピング装置の各部品を示す斜視図。
【図７】第２実施例におけるラッピング装置を組立てた全体の断面図。
【図８】ａ，ｂは第２実施例における蓋体と風船装着筒を示す断面図。
【図９】ラッピング加工をしたゴム風船を示す斜視図。
【符号の説明】
【００４４】
１０，１１０  ラッピングケース
１１，１１１  雄ネジ
１２  空気調整弁
１３  キャップ
１１２  空気調整穴
１１４  空気管
２０，１２０  蓋体
２１，１２１  第１のパッキン
２２，１２２  外周縁
２３，１２３  雌ネジ
２４，１２４  ローレット
３０，１３０  ガイド筒体
３１，１３１  雄ネジ
３２，１３２  風船装着筒
３３  風船装着フランジ
３４，１３４  空気注入弁
１３３  係合突起
１３５  雄ネジ
１３６  雌ネジ
４０，１４０  メインキャップ
４１，１４１  第２のパッキン
４２，１４２  外周縁
４３，１４３  雌ネジ
４４，１４４  ローレット
５０  ゴム風船
５１  ギフト品（装飾品）
５２  結束クリップ
５３  装飾リボン
６０  空気供給ポンプ
６１  空気注入ホース
【図１】
2008254761.tif 000003
【図２】
2008254761.tif 000004
【図３】
2008254761.tif 000005
【図４】
2008254761.tif 000006
【図５】
2008254761.tif 000007
【図６】
2008254761.tif 000008
【図７】
2008254761.tif 000009
【図８】
2008254761.tif 000010
【図９】
2008254761.tif 000011